(57)【要約】【課題】印刷物搬送装置１１のグリップ１６の汚れを自動的に短時間で清掃でき、グリップ１６の形状や汚れ具合にも対応できる清掃装置３１を提供する。【解決手段】印刷物をグリップ１６で把持して搬送する印刷物搬送装置１１の清掃装置３１である。グリップ１６に接触して清掃するブラシ３７、およびブラシ３７を回転させるモータ３８を有する清掃ユニット４０を備える。グリップ１６に対して接触するブラシ３７の角度を可変させる可変手段６４を備える。モータ３８でブラシ３７を回転させ、回転するブラシ３７をグリップ１６に接触させて清掃し、グリップ１６の汚れを自動的に短時間で容易に清掃できる。可変手段６４でグリップ１６に対して接触するブラシ３７の角度を可変させ、グリップ１６の形状や汚れの付着具合に対応してグリップ１６を確実に清掃できる。【選択図】　　　　図１
2004142294.tif 000002
【特許請求の範囲】
【請求項１】
印刷物をグリップで把持して搬送する印刷物搬送装置の清掃装置であって、
前記グリップに接触して清掃する清掃体、およびこの清掃体を清掃動作させる駆動部を有する清掃ユニットと、
前記グリップに対して接触する前記清掃体の角度を可変させる可変手段と
を具備していることを特徴とする印刷物搬送装置の清掃装置。
【請求項２】
清掃体は、ブラシを有し、駆動部に着脱可能に取り付けられる
ことを特徴とする請求項１記載の印刷物搬送装置の清掃装置。
【請求項３】
ブラシは、中心部が駆動部に着脱可能に取り付けられて回転駆動される円板、およびこの円板の両面の周辺部に突設されたブラシ毛を有する
ことを特徴とする請求項２記載の印刷物搬送装置の清掃装置。
【請求項４】
可変手段は、清掃体の回転軸心に交差した２軸によって清掃ユニットを傾動可能に支持する
ことを特徴とする請求項１ないし３いずれか記載の印刷物搬送装置の清掃装置。
【請求項５】
グリップが印刷物を搬送する方向に回行するチェーンに設けられ、
このチェーンの回行方向に対して交差する方向に清掃ユニットを移動させて清掃体をグリップに接離させる移動手段を備えている
ことを特徴とする請求項１ないし４いずれか記載の印刷物搬送装置の清掃装置。
【請求項６】
清掃体が接触可能にグリップを開放させるグリップ開放手段を備えている
ことを特徴とする請求項１ないし５いずれか記載の印刷物搬送装置の清掃装置。
【請求項７】
清掃体に付着した付着物を除去する付着物除去手段を備えている
ことを特徴とする請求項１ないし６いずれか記載の印刷物搬送装置の清掃装置。
【発明の詳細な説明】
【０００１】
【発明の属する技術分野】
本発明は、印刷物をグリップで把持して搬送する印刷物搬送装置の清掃装置に関する。
【０００２】
【従来の技術】
一般に、新聞などの印刷物の印刷施設においては、輪転機から連続的に排出されてくる印刷物を所定の速度で回行するチェーンに取り付けたグリップで把持し、チェーンの回行とともにグリップで把持した印刷物を所定の場所まで搬送する印刷物搬送装置が用いられている（例えば、特許文献１参照）。
【０００３】
このような印刷物搬送装置では、印刷物の印刷面をグリップで把持するため、グリップのグリップ面に印刷面のインクが付着して汚れ、この汚れたグリップで印刷物を把持したときに汚れが印刷物に移ってしまうことがある。そのため、グリップの汚れを布などで拭き取って清掃する作業を必要としている。
【０００４】
【特許文献１】
特開２００１−１６３４９８号公報（第３頁および第４頁、図３および図４）
【０００５】
【発明が解決しようとする課題】
しかしながら、グリップに付着しているインクの汚れは簡単に取れにくく、このグリップの汚れを布などで拭き取って清掃する作業は手間がかかり、時間もかかる問題がある。
【０００６】
また、グリップの汚れを布などで拭き取って清掃する作業を自動化しようとしても、グリップに付着しているインクの汚れは簡単に取れにくいため、十分に清掃できないとともに、グリッパの形状によっては汚れの拭き残しが多く発生しやすく、確実に清掃できない問題がある。
【０００７】
本発明は、このような点に鑑みなされたもので、グリップの汚れを自動的に短時間で容易に清掃でき、さらに、グリップの形状や汚れの付着具合などにも対応してグリップを確実に清掃できる印刷物搬送装置の清掃装置を提供することを目的とする。
【０００８】
【課題を解決するための手段】
請求項１記載の印刷物搬送装置の清掃装置は、印刷物をグリップで把持して搬送する印刷物搬送装置の清掃装置であって、前記グリップに接触して清掃する清掃体、およびこの清掃体を清掃動作させる駆動部を有する清掃ユニットと、前記グリップに対して接触する前記清掃体の角度を可変させる可変手段とを具備しているものである。
【０００９】
そして、この構成では、清掃体をグリップに接触させ、駆動部で清掃体を清掃動作させて、グリップを清掃するため、グリップの汚れを自動的に短時間で容易に清掃可能とし、さらに、可変手段でグリップに対して接触する清掃体の角度を可変させるため、グリップの形状や汚れの付着具合などに対応してグリップを確実に清掃可能とする。
【００１０】
請求項２記載の印刷物搬送装置の清掃装置は、請求項１記載の印刷物搬送装置の清掃装置において、清掃体は、ブラシを有し、駆動部に着脱可能に取り付けられるものである。
【００１１】
そして、この構成では、清掃体がブラシで、駆動部に着脱可能に取り付けられるため、ブラシを取り外して洗浄したり、ブラシの交換が容易になり、しかも、グリップの種類に対応したブラシを選択して取り付けられ、グリップの種類に容易に対応可能とする。
【００１２】
請求項３記載の印刷物搬送装置の清掃装置は、請求項２記載の印刷物搬送装置の清掃装置において、ブラシは、中心部が駆動部に着脱可能に取り付けられて回転駆動される円板、およびこの円板の両面の周辺部に突設されたブラシ毛を有するものである。
【００１３】
そして、この構成では、ブラシは、中心部が駆動部に着脱可能に取り付けられて回転駆動される円板の両面の周辺部にブラシ毛を突設したため、ブラシの回転によってブラシ毛をグリップに連続して接触させてグリップを効率よく清掃可能となり、グリップの把持部分の間にブラシを位置させることで両面のブラシ毛でグリップの把持部分を効率よく清掃可能とする。
【００１４】
請求項４記載の印刷物搬送装置の清掃装置は、請求項１ないし３いずれか記載の印刷物搬送装置の清掃装置において、可変手段は、清掃体の回転軸心に交差した２軸によって清掃ユニットを傾動可能に支持するものである。
【００１５】
そして、この構成では、可変手段は、清掃体の回転軸心に交差した２軸によって清掃ユニットを傾動可能に支持するため、グリップに対して接触する清掃体の角度を任意に可変させ、グリップの形状や汚れの付着具合などに対応してグリップを確実に清掃可能とする。
【００１６】
請求項５記載の印刷物搬送装置の清掃装置は、請求項１ないし４いずれか記載の印刷物搬送装置の清掃装置において、グリップが印刷物を搬送する方向に回行するチェーンに設けられ、このチェーンの回行方向に対して交差する方向に清掃ユニットを移動させて清掃体をグリップに接離させる移動手段を備えているものである。
【００１７】
そして、この構成では、印刷物を搬送する方向に回行するチェーンに設けられたグリップに対して、移動手段によりチェーンの回行方向に対して交差する方向に清掃ユニットを移動させて清掃体を接離させるため、清掃時には清掃体をグリップに接触させ、清掃が完了すれば清掃体をグリップから離反させ、したがって、印刷物搬送装置のグリップの清掃の自動化を可能とする。
【００１８】
請求項６記載の印刷物搬送装置の清掃装置は、請求項１ないし５いずれか記載の印刷物搬送装置の清掃装置において、清掃体が接触可能にグリップを開放させるグリップ開放手段を備えているものである。
【００１９】
そして、この構成では、グリップ開放手段によって清掃体が接触可能にグリップを開放させ、グリップの把持部分を確実に清掃可能とする。
【００２０】
請求項７記載の印刷物搬送装置の清掃装置は、請求項１ないし６いずれか記載の印刷物搬送装置の清掃装置において、清掃体に付着した付着物を除去する付着物除去手段を備えているものである。
【００２１】
そして、この構成では、付着物除去手段によって清掃体に付着した付着物を除去し、清掃体からグリップに付着物が移るのを防止する。
【００２２】
【発明の実施の形態】
以下、本発明の一実施の形態を図面を参照して説明する。
【００２３】
図１、図５および図６に示すように、印刷物搬送装置１１は、輪転機から連続的に排出されてくる新聞などの印刷物を搬送するもので、印刷物の搬送域の両側に沿ってそれぞれ設置されたフレーム１２を有し、このフレーム１２に印刷物を把持して搬送するためのグリップチェーン１３が取り付けられている。
【００２４】
グリップチェーン１３は、印刷物の搬送方向に回行する無端状のチェーン１４を有している。このチェーン１４は、その往路１４ａおよび復路１４ｂがフレーム１２の側面の上下位置にそれぞれ取り付けられた往路側および復路側のチェーンレール１５によって移動可能に支持され、図示しないモータによって回行する。
【００２５】
チェーン１４の側部には、印刷物の搬送方向と交差する側縁を把持する複数のグリップ１６が取り付けられている。このグリップ１６は、チェーン１４に取り付けられたグリップ本体１７、およびチェーン１４の往路１４ａにおいてグリップ本体１７の上側に位置して支軸１８により回動可能に支持された可動部１９を有し、これらグリップ本体１７の先端および可動部１９の先端に印刷物を把持するグリップ部２０，２１が設けられている。
【００２６】
チェーン１４の往路１４ａにおいてグリップ本体１７の下側に位置して回転自在のローラ２２がグリップ本体１７の基端側と先端側との間でスライド可能に取り付けられ、このローラ２２に可動部１９の基端側が連結されている。
【００２７】
そして、可動部１９は図示しない付勢手段でグリップ本体１７に対して閉じる方向に付勢されており、このとき、ローラ２２はグリップ本体１７の基端側に位置し、また、ローラ２２を外部からの作用によってグリップ本体１７の先端側にスライドさせることにより、可動部１９がグリップ本体１７から開く方向に回動し、グリップ１６が開放する。
【００２８】
次に、図１ないし図６に示すように、印刷物搬送装置１１のグリップ１６を清掃する清掃装置３１は、グリップ１６の先端に対向する印刷物搬送装置１１の側方に設置されてグリップ１６を清掃する清掃装置本体３２、印刷物搬送装置１１のフレーム１２側に設置されて各グリップ１６を開放させるグリップ開放手段３３、および清掃装置本体３２の側部に設置される付着物除去手段３４を有している。
【００２９】
清掃装置本体３２は、清掃体としてのブラシ３７、このブラシ３７を清掃動作すなわち回転させる駆動部としてのモータ３８、およびブラシ３７をモータ３８に着脱可能に取り付ける取付部材３９を有する清掃ユニット４０を備えている。
【００３０】
ブラシ３７は、例えば金属製やプラスチック製の円板４１、およびこの円板４１の両面の周辺部に沿って環状に突設されたブラシ毛４２を有している。円板４１には、中央に位置決め孔４３が形成され、この位置決め孔４３の両側に複数の取付孔４４が形成されている。ブラシ毛４２は、化学繊維などの弾性および柔軟性を有する材質の糸状材によって形成されている。
【００３１】
モータ３８の上面に回転軸４５が突設され、この回転軸４５に取付部材３９が取り付けられている。
【００３２】
取付部材３９は、モータ３８の回転軸４５に取り付けられた回転部４６、およびこの回転部４６上に配置されたブラシ３７の円板４１上に被着されるカバー４７を有し、回転部４６には円板４１の位置決め孔４３が嵌合する位置決め突部４８が突設されているとともに、位置決め突部４８の両側に円板４１の取付孔４４に挿通するねじ軸４９が突設されている。そして、回転部４６に円板４１およびカバー４７を取り付けた後にナット５０をねじ軸４９に螺着することにより、ブラシ３７を回転部４６すなわちモータ３８側に着脱可能に取り付けることができる。
【００３３】
また、清掃ユニット４０のモータ３８は第１のスイング体５１に取り付けられ、この第１のスイング体５１は第２のスイング体５２に対してグリップ１６の先端側の突出方向に平行な方向にスイング可能に取り付けられている。すなわち、上下２本の支点用ボルト５３および調整用ボルト５４が第２のスイング体５２の外面側から第１のスイング体５１に挿通されて第１のスイング体５１の内面側に配置される止め板５５にそれぞれ螺着され、第１のスイング体５１の支点用ボルト５３が挿通する孔は丸孔５６に形成され、第１のスイング体５１の調整用ボルト５４が挿通する孔は丸孔５６を中心とする円弧状の長孔５７に形成されており、調整用ボルト５４に対して長孔５７が移動可能とする範囲内の角度αで清掃ユニット４０の角度を可変させることができる。
【００３４】
第２のスイング体５２は昇降体５８に対してグリップ１６の先端側の突出方向に交差する方向にスイング可能に取り付けられている。すなわち、上下２本の支点用ボルト５９および調整用ボルト６０が昇降体５８の外面側から第２のスイング体５２に挿通されて第２のスイング体５２の内面側に配置される止め板６１にそれぞれ螺着され、第２のスイング体５２の支点用ボルト５９が挿通する孔は丸孔６２に形成され、第２のスイング体５２の調整用ボルト６０が挿通する孔は丸孔６２を中心とする円弧状の長孔６３に形成されており、調整用ボルト６０に対して長孔６３が移動可能とする範囲内の角度βで清掃ユニット４０の角度を可変させることができる。
【００３５】
したがって、これら第１のスイング体５１および第２のスイング体５２などによって、グリップ１６に対して接触するブラシ３７の角度を可変させる可変手段６４が構成されている。すなわち、可変手段６４は、ブラシ３７の回転軸心に交差した２軸としての支点用ボルト５３，５９をそれぞれ中心として清掃ユニット４０を傾動可能に支持する。
【００３６】
また、昇降体５８は移動体６７に昇降可能に取り付けられている。移動体６７は、移動台６８を有し、この移動台６８と移動台６８上に立設された支持部６９の上端部との間に鉛直方向に沿ったねじ軸７０が回転自在に取り付けられ、このねじ軸７０に昇降体５８が昇降可能に取り付けられている。昇降体５８には、下側と上側とに離間して取付板７１，７２が取り付けられ、下側の取付板７１にねじ軸７０に螺合する螺合部７３が取り付けられ、上側の取付板７２にねじ軸７０にスライド可能に係合するブッシュ７４が取り付けられている。ねじ軸７０の上端にはねじ軸７０を回転操作すなわち昇降体５８を昇降操作するハンドル７５が取り付けられている。
【００３７】
したがって、昇降体５８、移動体６７およびねじ軸７０などによって、清掃ユニット４０を昇降させる昇降手段７６が構成されている。
【００３８】
また、移動体６７の移動台６８は、チェーン１４の回行方向に対して交差する方向に配設された複数のガイドレール７９上に、そのチェーン１４の回行方向に対して交差する方向にスライド可能に取り付けられている。複数のガイドレール７９は機台８０上に設置された取付台８１上に取り付けられており、この取付台８１上には、ガイドレール７９と平行にねじ軸８２が回転自在に取り付けられ、このねじ軸８２の一端に連結されてねじ軸８２を正逆回転駆動するモータ８３が取り付けられている。
【００３９】
したがって、移動体６７、ガイドレール７９、ねじ軸８２およびモータ８３などによって、チェーン１４の回行方向に対して交差する方向に清掃ユニット４０を移動させ、ブラシ３７をグリップ１６に接離させる移動手段８４が構成されている。
【００４０】
次に、グリップ開放手段３３は、清掃装置本体３２に対向する位置でフレーム１２に配設されており、ブラシ３７で清掃する所定の清掃領域の複数のグリップ１６のローラ２２に当接可能とするガイド縁９１を有する作動板９２を有し、この作動板９２は一端の軸支部９３を支点としてガイド縁９１でグリップ１６のローラ２２を押してグリップ１６を開かせる開放位置とグリップ１６のローラ２２から離反してグリップ１６を閉じさせる待避位置との間で揺動可能に軸支されている。作動板９２のガイド縁９１には、開放位置において、グリップ１６の先端方向へローラ２２を押してグリップ１６を開放させる直線状の開放縁部９４、この開放縁部９４の両側で開放縁部９４に導入するローラ２２および開放縁部９４から導出するローラ２２を案内する傾斜縁部９５が形成されている。
【００４１】
作動板９２とフレーム１２との間には互いに回動可能に連結された一対のリンク９６，９７がそれぞれ回動可能に連結され、これら一対のリンク９６，９７間にフレーム１２との間に架設されたシリンダ９８のロッド９９が連結されている。そして、シリンダ９８のロッド９９の伸長時に作動板９２が開放位置に移動し、シリンダ９８のロッド９９の収縮時に作動板９２が待避位置に移動する。
【００４２】
次に、付着物除去手段３４は、機台８０上で清掃装置本体３２の側部に配置され、ブラシ３７がグリップ１６から離反した清掃ユニット４０の後退位置において、ブラシ３７に付着した付着物を除去するものである。
【００４３】
付着物除去手段３４は、機台８０上に立設された枠台１０１を有し、この枠台１０１上に一対の支柱１０２が立設され、これら支柱１０２に上下一対の支持体１０３が取り付けられている。これら上下の支持体１０３は、支柱１０２に対して上下方向へスライド可能すなわち高さ調整可能に取り付けられた一対のアーム１０４を有し、これら一対のアーム１０４の先端に横軸１０５が取り付けられている。上下の各支持体１０３の各横軸１０５には回動可能すなわち角度調整可能とする一対のレバー１０６をそれぞれ介して一対のプレート１０７が回動可能に取り付けられ、このプレート１０７にブラシ３７と接触してブラシ３７の付着物を除去する例えば不織布やスポンジなどの除去部材１０８が取り付けられている。
【００４４】
次に、本実施の形態の作用を説明する。
【００４５】
印刷物搬送装置１１のグリップ１６を清掃する清掃は、輪転機および印刷物搬送装置１１の稼動中、または輪転機の停止後のメンテナンス時になされる。
【００４６】
印刷物搬送装置１１のグリップ１６を清掃する清掃時には、チェーン１４を回行させ、グリップ開放手段３３のシリンダ９８の作動によって作動板９２を開放位置に移動させ、この作動板９２で清掃域に進入するグリップ１６のローラ２２を押してこのグリップ１６の可動部１９を上方へ回動させ、清掃領域内を移動する各グリップ１６を開放させる。
【００４７】
清掃装置３１の移動手段８４のモータ８３を駆動し、移動体６７とともに清掃ユニット４０を清掃領域の開放されたグリップ１６へ向けて接近移動させ、モータ３８の駆動で回転するブラシ３７の上下面のブラシ毛４２を開放されたグリップ１６のグリップ部２０，２１に接触させ、これらグリップ部２０，２１に付着しているインクなどの付着物を擦って除去する。このときのブラシ３７の回転方向は、チェーン１４の回行によるグリップ１６の移動方向と逆方向、または同方向のいずれでもよい。
【００４８】
ブラシ３７の円板４１の周辺部にブラシ毛４２を環状に設けているとともにブラシ３７が回転していることで、グリップ１６のグリップ部２０，２１に対してブラシ毛４２が連続的で擦るように接触し、グリップ１６のグリップ部２０，２１に付着している付着物を短時間で除去できる。また、チェーン１４が回行していることで、チェーン１４に取り付けられている複数の各グリップ１６がブラシ３７によって連続的に清掃できる。
【００４９】
清掃ユニット４０は可変手段６４によってスイング可能に支持されているため、グリップ１６に対して接触するブラシ３７の角度を任意に可変させることができる。すなわち、清掃ユニット４０は、支点用ボルト５３を中心としてグリップ１６の先端側の突出方向に平行な方向に角度αの範囲内でスイング可能とするとともに、支点用ボルト５９を中心としてグリップ１６の先端側の突出方向に交差する方向に角度βの範囲内でスイング可能とし、これら支点用ボルト５３，５９の２軸によって任意の方向に傾動させることができる。そのため、グリップ１６の形状や汚れの付着具合などに対応してグリップ１６に対するブラシ３７の接触の状態を任意に可変でき、グリップ１６を確実に清掃できる。
【００５０】
グリップ１６の清掃完了後は、移動手段８４のモータ８３を駆動し、移動体６７とともに清掃ユニット４０をグリップ１６から離反するように後退させる。清掃ユニット４０が後退位置に移動することで、ブラシ３７の上下面のブラシ毛４２が付着物除去手段３４の上下の除去部材１０８に接触し、この除去部材１０８によってブラシ３７のブラシ毛４２に移った付着物を除去する。
【００５１】
また、清掃ユニット４０において、ナット５０を外すことでブラシ３７を容易に着脱できる。そのため、ブラシ３７が汚れた場合にブラシ３７を取り外して洗浄することができ、このとき予備のブラシ３７を清掃ユニット４０に取り付けることで、洗浄したブラシ３７を乾燥させている間でも、清掃処理ができる。ブラシ３７が摩耗したり損傷しても、容易に交換することができる。
【００５２】
以上のように、モータ３８でブラシ３７を回転させ、この回転するブラシ３７をグリップ１６に接触させて清掃するため、グリップ１６の汚れを自動的に短時間で容易に清掃でき、さらに、可変手段６４でグリップ１６に対して接触するブラシ３７の角度を可変させることができるため、グリップ１６の形状や汚れの付着具合などに対応してグリップ１６を確実に清掃できる。
【００５３】
清掃体としてブラシ３７を用い、モータ３８に着脱可能に取り付けられるため、ブラシ３７を取り外して容易に洗浄できるとともに、ブラシ３７の交換が容易にでき、しかも、グリップ１６の種類に対応したブラシ３７を選択して取り付けることができ、グリップ１６の種類に容易に対応できる。
【００５４】
ブラシ３７は、中心部がモータ３８に着脱可能に取り付けられる円板４１の両面の周辺部にブラシ毛４２を突設したため、ブラシ３７の回転によってブラシ毛４２をグリップ１６に連続して接触させてグリップ１６を効率よく清掃でき、グリップ１６の把持部分の間すなわちグリップ部２０，２１間にブラシ３７を位置させることで両面のブラシ毛４２でグリップ１６の把持部分すなわちグリップ部２０，２１を効率よく清掃できる。
【００５５】
可変手段６４は、ブラシ３７の回転軸心に交差した２軸すなわち支点用ボルト５３，５９を中心として清掃ユニット４０を傾動可能に支持するため、グリップ１６に対して接触するブラシ３７の角度を任意に可変させることができ、グリップ１６の形状や汚れの付着具合などに対応してグリップ１６を確実に清掃できる。
【００５６】
印刷物を搬送する方向に回行するチェーン１４に設けられたグリップ１４に対して、移動手段８４によりチェーン１４の回行方向に対して交差する方向に清掃ユニット４０を移動させて、ブラシ３７をグリップ１６に接離させるため、清掃時にはブラシ３７をグリップ１６に接触させ、清掃が完了すればブラシ３７をグリップ１６から離反させて印刷物搬送装置１１による印刷物の搬送を許容でき、したがって、印刷物搬送装置１１のグリップ１６の清掃を自動化できる。
【００５７】
グリップ開放手段３３によってブラシ３７が接触可能にグリップ１６を開放させることができ、グリップ１６の把持部分すなわちグリップ部２０，２１を確実に清掃できる。
【００５８】
付着物除去手段３４によってブラシ３７に付着した付着物を除去でき、ブラシ３７からグリップ１６に付着物が移るのを防止できる。
【００５９】
なお、可変手段６４は、清掃ユニット４０を２軸である支点用ボルト５３，５９を中心として自由にスイングするようにしてもよく、グリップ１６の形状に追従して清掃できる。また、清掃ユニット４０を２軸を中心としてモータなどの駆動手段によって回動させ、強制的にスイングするようにしてもよく、グリップ１６の形状に対応し、グリップ１６を確実に清掃できる。
【００６０】
また、昇降手段７６は、モータなどの駆動手段を用いて清掃ユニット４０を昇降させてもよく、グリップ１６の形状に対応し、グリップ１６を確実に清掃できる。
【００６１】
また、清掃ユニット４０のモータ３８によるブラシ３７の清掃動作は、ブラシ３７の回転に限らず、往復運動させてもよい。
【００６２】
また、清掃体としては、ブラシ３７に限らず、不織布などを用いてもよい。
【００６３】
【発明の効果】
請求項１記載の印刷物搬送装置の清掃装置によれば、清掃体をグリップに接触させ、駆動部で清掃体を清掃動作させて、グリップを清掃するため、グリップの汚れを自動的に短時間で容易に清掃でき、さらに、可変手段でグリップに対して接触する清掃体の角度を可変させることができるため、グリップの形状や汚れの付着具合などに対応してグリップを確実に清掃できる。
【００６４】
請求項２記載の印刷物搬送装置の清掃装置によれば、請求項１記載の印刷物搬送装置の清掃装置の効果に加えて、清掃体がブラシで、駆動部に着脱可能に取り付けられるため、ブラシを取り外して容易に洗浄できるとともに、ブラシの交換が容易にでき、しかも、グリップの種類に対応したブラシを選択して取り付けることができ、グリップの種類に容易に対応できる。
【００６５】
請求項３記載の印刷物搬送装置の清掃装置によれば、請求項２記載の印刷物搬送装置の清掃装置の効果に加えて、ブラシは、中心部が駆動部に着脱可能に取り付けられて回転駆動される円板の両面の周辺部にブラシ毛を突設したため、ブラシの回転によってブラシ毛をグリップに連続して接触させてグリップを効率よく清掃でき、グリップの把持部分の間にブラシを位置させることで両面のブラシ毛でグリップの把持部分を効率よく清掃できる。
【００６６】
請求項４記載の印刷物搬送装置の清掃装置によれば、請求項１ないし３いずれか記載の印刷物搬送装置の清掃装置の効果に加えて、可変手段は、清掃体の回転軸心に交差した２軸によって清掃ユニットを傾動可能に支持するため、グリップに対して接触する清掃体の角度を任意に可変させることができ、グリップの形状や汚れの付着具合などに対応してグリップを確実に清掃できる。
【００６７】
請求項５記載の印刷物搬送装置の清掃装置によれば、請求項１ないし４いずれか記載の印刷物搬送装置の清掃装置の効果に加えて、印刷物を搬送する方向に回行するチェーンに設けられたグリップに対して、移動手段によりチェーンの回行方向に対して交差する方向に清掃ユニットを移動させて清掃体を接離させるため、清掃時には清掃体をグリップに接触させ、清掃が完了すれば清掃体をグリップから離反させることができ、したがって、印刷物搬送装置のグリップの清掃を自動化できる。
【００６８】
請求項６記載の印刷物搬送装置の清掃装置によれば、請求項１ないし５いずれか記載の印刷物搬送装置の清掃装置の効果に加えて、グリップ開放手段によって清掃体が接触可能にグリップを開放させることができ、グリップの把持部分を確実に清掃できる。
【００６９】
請求項７記載の印刷物搬送装置の清掃装置によれば、請求項１ないし６いずれか記載の印刷物搬送装置の清掃装置の効果に加えて、付着物除去手段によって清掃体に付着した付着物を除去でき、清掃体からグリップに付着物が移るのを防止できる。
【図面の簡単な説明】
【図１】本発明の一実施の形態を示す印刷物搬送装置の清掃装置の一部の正面図である。
【図２】同上清掃装置の清掃ユニットの拡大正面図である。
【図３】同上清掃装置の側面図である。
【図４】同上清掃装置の平面図である。
【図５】同上清掃装置の正面図である。
【図６】同上印刷物搬送装置の一部の平面図である。
【符号の説明】
１１　　印刷物搬送装置
１４　　チェーン
１６　　グリップ
３１　　清掃装置
３３　　グリップ開放手段
３４　　付着物除去手段
３７　　清掃体としてのブラシ
３８　　駆動部としてのモータ
４０　　清掃ユニット
４１　　円板
４２　　ブラシ毛
６４　　可変手段
８４　　移動手段
【図１】
2004142294.tif 000003
【図２】
2004142294.tif 000004
【図３】
2004142294.tif 000005
【図４】
2004142294.tif 000006
【図５】
2004142294.tif 000007
【図６】
2004142294.tif 000008